(57)【特許請求の範囲】
【請求項１】
農道に沿って給水パイプが埋設され、上流側の給水パイプから供給される用水を耕作区に供給し、耕作区の余剰の用水を下流側の給水パイプに流出させる水田の水位調節装置であって、該水位調節装置は、上流側の給水パイプに接続する用水流入部を備えた有底筒状の給排水枡内に、高さ調節可能な逆流防止堰を介して水田の耕作区に連通する耕作区給排水部と、下流側の給水パイプに連通する用水流出部とを備えており、該用水流出部には、給排水枡の底部近傍で開口可能な排水弁と、給排水枡の上部に開口する高さ調節可能な水位調節堰とを設けたことを特徴とする水田の水位調節装置。
【請求項２】
前記水位調節堰は、前記用水流出部に接続されて上向きに開口したパイプに上下方向に摺動可能に装着した筒体により形成されていることを特徴とする請求項１記載の水田の水位調節装置。
【請求項３】
前記逆流防止堰は、上下がそれぞれ開口した大径筒体と、該大径筒体の上部から水平方向に分岐し、前記給排水枡の側壁を貫通して前記耕作区に連通する分岐筒体と、前記大径筒体内に上下方向に摺動可能に装着された小径筒体とにより形成されていることを特徴とする請求項１記載の水田の水位調節装置。
【発明の詳細な説明】
【０００１】
【発明の属する技術分野】
本発明は、水田の水位調節装置に関し、詳しくは、水田における各耕作区の田面水位を必要最小限の用水量で所望の高さに容易に調節できるとともに、用水の供給や排出も容易に行うことができる水田の水位調節装置に関する。
【０００２】
【従来の技術】
図６は、従来の水田構造を示す概略平面図であって、河川１を流れる水は、水路２から上流側の幹線給水路３に導かれて水田４に供給されるようになっている。水田４は、畦畔４１によって複数の耕作区４２に区分されており、長手方向に延びる農道４０の側縁には、それぞれの耕作区４２に沿って開放型の給水路３１が設けられている。この給水路３１の上流側は、前記幹線給水路３と接続しており、各耕作区４２に面した給水路３１の側壁には、給水口３２が設けられている。図７に斜視図で示すように、給水路３１を流れる用水は、各給水口３２から各耕作区４２に供給されるようになっている。
【０００３】
また、前記給水路３１の反対側に位置する水田４，４の間には、開放型の排水路３３が設けられている。各耕作区４２に面した排水路３３の排水口には、水位設定器３４が設けられており、この水位設定器３４の高さを調整することにより、それぞれの耕作区４２の田面水位を一定の高さに維持できるように形成されている。排水路３３の下流側は、幹線排水路３５と接続しており、この排水路３５に放出された余剰の用水や雨水は、水路３６から河川に還流されるようになっている。
【０００４】
【発明が解決しようとする課題】
この水田の場合には、給水路３１を流れる用水は、給水路３１の上流側に位置する給水口３２から各耕作区４２に流入する。そして、耕作区４２に供給された用水は、水位設定器３４によって一定の水位に維持されるとともに、余剰の用水が排水路３３に排出される。このようにして、上流側から下流側の耕作区４２に向かって用水が順次供給されていくため、下流側の耕作区４２ほど用水の供給が不足がちとなる。特に、日照りが続く旱魃期には、下流側の耕作区４２にほとんど用水が供給されなくなり、稲の成育不良によって収穫量が減少するということがあった。
【０００５】
また、各水路が開放型で形成されている従来の水田では、給水路３１や排水路３３の占有幅だけ耕作区４２や農道４０のスペースが狭くなるため、農地を有効利用できないという問題もあった。さらには、上方が開放した各水路には、土砂等が落下して堆積し易いため、土砂等の排出作業を頻繁に行わなければならず、水路管理が煩わしいという問題もあった。
【０００６】
一方、農村の都市化に伴って農家の兼業化が進行するとともに、就業時間の短縮及び制限から農作業等の自動化及び省力化の要請が強まっており、水田の給水管理や施肥管理等の省力化が望まれている。
【０００７】
そこで本発明は、水田全体にわたって安定した状態で用水を供給でき、田面水位を自動的に一定に維持できるとともに、施工性に優れ、しかも安価に提供することができる水田の水位調節装置を提供することを目的としている。
【０００８】
【課題を解決するための手段】
上記目的を達成するため、本発明の水田の水位調節装置は、農道に沿って給水パイプが埋設され、上流側の給水パイプから供給される用水を耕作区に供給し、耕作区の余剰の用水を下流側の給水パイプに流出させる水田の水位調節装置であって、該水位調節装置は、上流側の給水パイプに接続する用水流入部を備えた有底筒状の給排水枡内に、高さ調節可能な逆流防止堰を介して水田の耕作区に連通する耕作区給排水部と、下流側の給水パイプに連通する用水流出部とを備えており、該用水流出部には、給排水枡の底部近傍で開口可能な排水弁と、給排水枡の上部に開口する高さ調節可能な水位調節堰とを設けたことを特徴としている。
【０００９】
また、本発明の水田の水位調節装置は、前記水位調節堰が、前記用水流出部に接続されて上向きに開口したパイプに上下方向に摺動可能に装着した筒体により形成されていること、さらに、前記逆流防止堰が、上下がそれぞれ開口した大径筒体と、該大径筒体の上部から水平方向に分岐し、前記給排水枡の側壁を貫通して前記耕作区に連通する分岐筒体と、前記大径筒体内に上下方向に摺動可能に装着された小径筒体とにより形成されていることを特徴としている。
【００１０】
【発明の実施の形態】
図１は本発明の水位調節装置を使用した水田の一例を示す概略平面図である。水田４の内部は、短手方向に延びる畦畔４１によって複数の耕作区４２に区分されている。各耕作区４２は、例えば、長辺が１００〜２００ｍ、短辺が３０〜１００ｍ程度の長方形状に区分され、全体的に見れば緩やかに傾斜しているにしても、略平坦に整地されている。
【００１１】
また、水田４の側縁には、その長手方向に沿って農道４３が設けられている。この農道４３の上面は、その中央部が平坦面に形成されており、この平坦面の片側又は両側に、水田４側に向かって下り勾配となった傾斜面が形成されている。この傾斜面は、従来農道に沿って設けられていた用水路や排水路を撤去して埋め戻しを行った部分である。このため、農道４３は、従来の農道よりもかなり広幅になっており、トラクター等を旋回させて方向転換したり、農道４３の片方を駐車スペースとして利用できるようになっている。
【００１２】
各農道４３には、その傾斜面の下方に、用水を通すための通水パイプである給水パイプ５１が埋設されている。この給水パイプ５１は、上流側が弁５１ａを介して上流側の用水ライン３７に接続しており、下流側が弁５１ｂを介して下流側の用水ライン３８あるいは排水ラインに接続している。この用水ライン３７，３８は、状況に応じて開放型の水路で形成してもよく、パイプラインで形成することもできる。また、弁５１ａ，５１ｂは、水田や用水ラインの状況によっては省略することもできる。なお、図示は省略するが、用水ライン３７には、河川等から水を引き込むための水路が接続しており、最下流の排水ラインには、放出された用水や雨水を河川に還流させるための水路が接続している。
【００１３】
また、給水パイプ５１の途中には、各耕作区４２に対応して水位調節装置６が設置されている。この水位調節装置６は、各耕作区４２に耕作区給排水部６１及び排水部６２を介して接続されており、上流側の給水パイプ５１から供給される用水を耕作区４２に供給し、耕作区４２の余剰の用水を下流側の給水パイプ５１に流出させる。
【００１４】
図２は、一耕作区４２の用水管理に用いられる水位調節装置６の一例を示す配管概略図である。この水位調節装置６は、有底角筒状の給排水枡６０に、耕作区４２に連通する耕作区給排水部６１及び排水部６２と、上流側給水パイプ５１Ｕに接続する用水流入部６３と、下流側給水パイプ５１Ｌに接続する用水流出部６４とを備えている。耕作区給排水部６１には、給排水枡６０の上部に開口する高さ調節可能な逆流防止堰６５が設けられている。また、用水流出部６４には、給排水枡６０の底部近傍で開口可能な排水弁６６と給排水枡６０の上部に開口する高さ調節可能な水位調節堰６７とが設けられている。排水部６２は、必要に応じて設けられるもので、耕作区４２の下方の地中内に埋設されており、適宜な開閉手段６２Ｃを備えている。
【００１５】
図３乃至図５は、水位調節装置６の具体的な形状例を示すもので、図３は平面図、図４は断面正面図、図５は断面側面図である。
【００１６】
この水位調節装置６は、有底角筒形の給排水枡６０内に各種給排水手段を設けたものである。給排水手段としては、前述のように、耕作区４２に連通する耕作区給排水部６１と、耕作区４２に埋設状態で設けられる排水部６２と、上流側給水パイプ５１Ｕに接続する用水流入部６３と、下流側給水パイプ５１Ｌに接続する用水流出部６４とを備えており、耕作区給排水部６１には、給排水枡６０の上部に開口する高さ調節可能な逆流防止堰６５が設けられ、用水流出部６４には、給排水枡６０の底部近傍で開口可能な排水弁６６と給排水枡６０の上部に開口する高さ調節可能な水位調節堰６７とが設けられている。
【００１７】
前記逆流防止堰６５は、給排水枡６０に鉛直方向に設けられた上下がそれぞれ開口した大径筒体６５Ｐと、該大径筒体６５Ｐの上部から水平方向に分岐し、前記給排水枡６０の側壁を貫通して前記耕作区４２に連通する分岐筒体６５Ｔと、前記大径筒体６５Ｐ内に上下方向に摺動可能に装着された小径筒体６５Ｓとにより形成されており、分岐筒体６５Ｔの分岐部より下方の大径筒体６５Ｐと小径筒体６５Ｓとの間には、水密性と適度な摺動抵抗とを得るためのゴム製のシールパッキン６５Ｒが設けられている。前記小径筒体６５Ｓは、シールパッキン６５Ｒによりガイドされて上下方向に移動し、任意の高さで保持できるように形成されており、この小径筒体６５Ｓには、給排水枡６０の上方に延びる操作ロッド６５Ｈが設けられている。
【００１８】
また、分岐筒体６５Ｔは、田面Ｇより低い位置まで開口しており、小径筒体６５Ｓは、その上縁が分岐筒体６５Ｔの下縁より下方の位置まで下げられるように形成されている。したがって、分岐筒体６５Ｔの前方の地面を掘り下げるとともに、小径筒体６５Ｓを押し下げることにより、あるいは、小径筒体６５Ｓを大径筒体６５Ｐから抜き取ることにより、耕作区４２からの排水を速やかに行うことができる。
【００１９】
前記水位調節堰６７は、用水流出部６４の水平方向のパイプ６４Ｐから垂直方向に立上がったパイプ６７Ｐの上端の上向きの開口内に、上下動可能に嵌装された筒体６７Ｔにより形成されており、この筒体６７Ｔにも、前記同様の操作ロッド６７Ｈが設けられている。なお、パイプ６７Ｐと筒体６７Ｔとの間にも、前記同様のゴム製のシールパッキンを設けておくことができ、また、筒体６７Ｔの上縁をラッパ状に拡開しておくことにより、用水の排出を効率よく行うことができる。
【００２０】
前記排水弁６６は、分水栓のような管端開口を開閉する形式の弁が用いられ、前記パイプ６４Ｐの開口端に設けられた弁体６６Ｖを前記同様の操作ロッド６６Ｈで開閉するように形成されている。
【００２１】
なお、排水弁６６は、通常時は開閉操作を行わないため、その操作ロッド６６Ｈは、給排水枡６０の上部開口を覆う蓋体６０Ｃの内部に位置させている。また、各操作ハンドル６５Ｈ，６７Ｈには、堰の上下位置等を表示するための目盛りを設けておくことができる。さらに、給排水枡６０に蓋体６０Ｃを装着する場合は、これを透明材料で形成することにより、給排水枡６０内の状況を容易に確認することができる。
【００２２】
以上のような構成からなる水位調節装置６は、各耕作区４２に面した農道４３の傾斜面に垂直状態で埋設され、田面水位は、各耕作区４２毎に設定される。すなわち、各耕作区４２に設置した水位調節装置６における水位調節堰６７の高さ位置を、筒体６７Ｔに設けた操作ロッド６７Ｈを上下に移動させることにより、各耕作区４２毎に設定する。
【００２３】
通常、各耕作区４２に設置されている水位調節装置６において、耕作区給排水部６１の逆流防止堰６５は、小径筒体６５Ｓの上縁を田面水位Ｌよりも若干低い位置に設定し、下流側給水パイプ５１Ｌに接続した用水流出部６４の水位調節堰６７は、筒体６７Ｔの上縁を田面水位Ｌに対応した高さに設定される。また、排水弁６６は全閉状態、排水部６２も閉じた状態とする。
【００２４】
上述の設定状態において、上流側給水パイプ５１Ｕからの用水は、用水流入部６３から給排水枡６０内に流入した後、逆流防止堰６５における大径筒体６５Ｐの下部開口から筒内を上昇し、さらに、小径筒体６５Ｓ内を上昇し、その上縁を越えて大径筒体６５Ｐと小径筒体６５Ｓとの間に流入した後、分岐筒体６５Ｔから耕作区４２へ給水される。この耕作区４２への用水の供給は、田面水位が上昇して水位調節堰６７の筒体６７Ｔの上縁を越える高さに達するまで継続して行われる。
【００２５】
一方、耕作区４２に供給された余剰の用水や雨水は、分岐筒体６５Ｔから前記経路を逆流して大径筒体６５Ｐの下部開口から給排水枡６０内に流入し、田面水位Ｌに対応した高さに調節されている水位調節堰６７の筒体６７Ｔの上縁を越えてパイプ６７Ｐ内を流下し、用水流出部６４から下流側給水パイプ５１Ｌに流出する。
【００２６】
このとき、給水パイプ５１への用水の供給が止まって給排水枡６０内が空になっても、逆流防止堰６５の小径筒体６５Ｓの上縁が田面水位Ｌに略対応した高さに設定されているので、耕作区４２内の用水が給排水枡６０内に逆流することがなく、耕作区４２内の田面水位を維持することができる。
【００２７】
したがって、各耕作区４２内の田面水位は、用水流出部６４における水位調節堰６７の筒体６７Ｔを所定高さに調節することにより、自動的に調節することができる。そして、給水パイプ５１への用水の供給量を適当に調節することにより、必要最小限の用水量で田面水位を一定に維持することが可能となる。
【００２８】
このような用水管理を行うと、各耕作区４２への用水の供給量を少なくできるため、上流側の耕作区４２から下流側の耕作区４２にわたって満遍なく用水を供給できるようになり、下流側の耕作区４２で水不足が発生することもなくなる。また、耕作区４２の田面水位が一定に維持されている状態では、耕作区４２内の用水は外部にほとんど排出されないため、耕作区４２に施用された農薬や肥料等が用水や雨水と共に外部に流出することも少なく、環境破壊の問題を招来するおそれもない。
【００２９】
また、耕作区４２から用水を排出する場合には、給水パイプ５１の上流側の弁５１ａを閉じ状態とし、逆流防止堰６５の小径筒体６５Ｓを押し下げるか、大径筒体６５Ｐから引き抜くとともに、水位調節堰６７の筒体６７Ｔを押し下げるか、排水弁６６を開く。これにより、耕作区４２に貯留されている用水を用水流出部６４から下流側給水パイプ５１Ｌに排出することができる。同様に、耕作区４２等から分岐筒体６５Ｔを通って侵入する土砂等は、排水弁６６を開くことによって用水と共に排出することができる。
【００３０】
一方、一度に大量の用水を必要とする水田の代掻き時には、逆流防止堰６５の小径筒体６５Ｓを押し下げるとともに、用水流出部６４の水位調節堰６７の筒体６７Ｔを引上げる。これにより、給水パイプ５１から供給された用水は、用水流入部６３から耕作区４２内に流入し、用水流出部６４から排出されることがなくなり、その全量が耕作区４２内に供給されて貯留される状態になり、速やかに所定の水位に達する。この操作を各耕作区４２について繰り返すことにより、上流側の耕作区４２から下流側の耕作区４２にわたって順次用水を供給することができる。
【００３１】
さらに、減反等でいくつかの耕作区４２への給水が不要な場合は、その耕作区４２に対応した水位調節装置６の耕作区給排水部６１においては、逆流防止堰６５の小径筒体６５Ｓを引き上げ、用水流出部６４においては、水位調節堰６７の筒体６７Ｔを押し下げるか、排水弁６６を全開状態にする。これにより、上流側給水パイプ５１Ｕから供給される用水は、耕作区４２内に流入することなく、給排水枡６０内を通過して下流側給水パイプ５１Ｌに流出する。
【００３２】
このように構成した水位調節装置６によれば、給水パイプ５１を流れる用水を少量にすることができるため、小径のパイプを用いることができる。また、この水位調節装置６は、合成樹脂製の筒材等を適宜に組合わせて製作することができ、給排水枡６０内に一体に組込まれているので、用水流入部６３や用水流出部６４を適当な継手を介して給水パイプ５１にそれぞれ接続するだけでよいことから、工事費等を大幅に削減することができる。
【００３３】
さらに、逆流防止堰６５を設けたことにより、代掻き時に土砂等が給排水枡６０内に侵入することを抑制でき、また、分岐筒体６５Ｔを田面Ｇより低い位置まで開口させたことにより、中干し時や転作時の水抜きが効果的に行える。すなわち、小径筒体６５Ｓを上方に引き上げておけば、代掻き時に土砂等が給排水枡６０内に侵入することを未然に防止できる。さらに、水田を中干しするときには、小径筒体６５Ｓを押し下げ、分岐筒体６５Ｔの付近の地面を掘り下げておくことによって水抜きができ、減反や転作の際にも、水田の用水をスムーズに落とすことができるという利点がある。
【００３４】
また、給排水枡６０に、耕作区下方の地中に開口するパイプからなる排水部６２を設けておくことにより、水田４の転作にも容易に対応できる。この排水部６２は、通常は、パイプ先端をキャップ等の開閉手段６２Ｃで塞いでおき、水田４を畑に転作する場合等に、排水部６２部分の地面を図５の破線Ｘに示すように掘り下げてキャップを取り外し、排水弁６６を開いた状態にしておく。これにより、転作した各耕作区４２から雨水等を排水部６２を介して速やかに排出することができるので、水が溜まることがなくなり、畑として有効利用することができる。
【００３５】
なお、逆流防止堰や水位調節堰の構造は、上記形態例に示す筒体に限らず、蛇腹状に形成したり、堰板式にしたりすることもでき、弁の構造も任意に選択できる。さらに、各操作ロッドを、例えばねじ込み構造等により着脱可能に形成しておくことにより、必要時以外に水位調節堰等が操作されることを防止できる。
【００３６】
また、上記形態例では、各耕作区に各１個の水位調節装置を設置した例を示したが、本発明はこれに限定されるものではない。すなわち、耕作区の両側に水位調節装置を設置すれば、耕作区の全体にわたってきめ細かな用水管理を行うことができ、耕作区の面積や形状等に応じて任意の数の水位調節装置を設置することができる。また、複数の水位調節装置を設ける場合は、用水供給用と排水用とに使い分けてもよい。
【００３７】
さらに、弁の開閉や堰の上下位置調節を、操作ロッドに代えてモーター等により遠隔操作可能に形成することもでき、コンピューター等を使用して自動的に制御することも可能である。
【００３８】
【発明の効果】
以上説明したように、本発明の水田の水位調節装置によれば、水田の側縁に沿って設けられた農道に給水パイプを埋設するので、水田の耕作区や農道等のスペースを大幅に拡大でき、農地を有効に利用することができる。
【００３９】
また、水位調節装置により、耕作区への用水の供給や田面水位の維持、耕作区からの用水の排出等を簡単な操作で確実に行うことができ、各耕作区毎の田面水位の維持等の用水管理を効率よく行うことができる。さらに、一部の耕作区の減反等にも対応することができる。しかも、これらの機能を一つの給排水枡に集約させているので、水位調節装置をコンパクトに形成することができ、施工性に優れるとともに、安価に供給することができる。
【００４０】
さらに、本発明では、各耕作区に供給された用水が余剰水として排出されるのを最小限に抑える用水管理を行えるので、各耕作区に施用された農薬や肥料等が用水と共に外部に流出する量を低減でき、環境破壊の問題を招来することもない。
【図面の簡単な説明】
【図１】  本発明の水位調節装置を使用した水田の一例を示す概略平面図である。
【図２】  水位調節装置の一形態例を示す配管概略図である。
【図３】  水位調節装置の具体的な形状例を示す平面図である。
【図４】  水位調節装置の断面正面図である。
【図５】  水位調節装置の断面側面図である。
【図６】  従来の水田構造を示す概略平面図である。
【図７】  従来の給水路の斜視図である。
【符号の説明】
３７…用水ライン、３８…排水ライン、４…水田、４１…畦畔、４２…耕作区、４３…農道、５１…給水パイプ、５１Ｕ…上流側給水パイプ、５１Ｌ…下流側給水パイプ、６…水位調節装置、６０…給排水枡、６０Ｃ…蓋体、６１…耕作区給排水部、６２…排水部、６３…用水流入部、６４…用水流出部、６４Ｐ…パイプ、６５…逆流防止堰、６５Ｈ…操作ロッド、６５Ｐ…大径筒体、６５Ｒ…シールパッキン、６５Ｔ…分岐筒体、６５Ｓ…小径筒体、６６…排水弁、６６Ｈ…操作ロッド、６６Ｖ…弁体、６７…水位調節堰、６７Ｈ…操作ロッド、６７Ｐ…パイプ、６７Ｔ…筒体
【図１】
0003848778.tif 000002
【図２】
0003848778.tif 000003
【図３】
0003848778.tif 000004
【図４】
0003848778.tif 000005
【図５】
0003848778.tif 000006
【図６】
0003848778.tif 000007
【図７】
0003848778.tif 000008